(57)【要約】【課題】搾水性、防汚性、表面性及び走行安定性に優れた製紙用フェルト基布を提供する。【解決手段】製紙用フェルト基布２は、経１重緯１重の組織構造を構成し、互いに織り込まれた経糸４と緯糸５とを有する。経糸４は、５本の連続する緯糸５の製紙面側を通った後、３本の連続する緯糸５の走行面側を通ることを繰り返す５／３組織である。製紙面側に着目すると、互いに隣接する２本の経糸４は、擬似的に７／１組織の製紙面側経糸を形成する第１ペア６を構成する。走行面側に着目すると、第１ペア６とは異なる組み合わせで互いに隣接する２本の経糸４は、擬似的に３／１組織の走行面側経糸を形成する第２ペア７を構成する。【選択図】図１
2020090757.tif 000002
【特許請求の範囲】
【請求項１】
製紙用フェルト基布であって、
互いに織り込まれた経糸と緯糸とを有し、
前記経糸は、（ａ＋２）本の連続する前記緯糸の製紙面側を通り、続いてａ本の連続する前記緯糸の走行面側を通ることを繰り返すように前記緯糸に織り込まれる（ａ＋２）／ａ組織であり、ａは２以上の整数であり、
互いに左右に隣接する２本の前記経糸の少なくとも一部によって構成された第１ペアは、該２本の前記経糸の一方のみが（ａ−１）本の連続する前記緯糸の製紙面側を通り、続いて該２本の前記経糸の双方が互いに共通の３本の連続する前記緯糸の製紙面側を通り、続いて該２本の前記経糸の他方のみが（ａ−１）本の連続する前記緯糸の製紙面側を通り、続いて該２本の前記経糸の双方が互いに共通する１本の前記緯糸の走行面側を通ることを繰り返すように、前記緯糸に織り込まれ、
前記第１ペアとは異なる組み合わせの互いに左右に隣接する２本の前記経糸の少なくとも一部によって構成された第２ペアは、該２本の前記経糸の一方のみがａ本の連続する前記緯糸の走行面側を通り、続いて該２本の前記経糸の双方が互いに共通する１本の前記緯糸の製紙面側を通り、続いて該２本の前記経糸の他方のみがａ本の連続する前記緯糸の走行面側を通り、続いて該２本の前記経糸の双方が互いに共通する１本の前記緯糸の製紙面側を通ることを繰り返すように、前記緯糸に織り込まれたことを特徴とする製紙用フェルト基布。
【請求項２】
全ての前記経糸が前記第１ペアを構成するとともに、５０％以上の前記経糸が前記第２ペアを構成し、又は、５０％以上の前記経糸が前記第１ペアを構成するとともに、全ての前記経糸が前記第２ペアを構成することを特徴とする請求項１に記載の製紙用フェルト基布。
【請求項３】
前記第１ペアの半数において、該第１ペアにおける右方の前記経糸は、左方の前記経糸に対して、経方向の一方に向かって（ａ−１）本の前記緯糸の分だけずれており、前記第１ペアの残りの半数において、該第１ペアにおける右方の前記経糸は、左方の前記経糸に対して、経方向の他方に向かって（ａ−１）本の前記緯糸の分だけずれていることを特徴とする請求項１又は２に記載の製紙用フェルト基布。
【請求項４】
前記経糸は、５／３組織、４／２組織、又は６／４組織であることを特徴とする請求項１〜３の何れか一項に記載の製紙用フェルト基布。
【発明の詳細な説明】
【技術分野】
【０００１】
本開示は、製紙用フェルト基布に関する。
【背景技術】
【０００２】
抄紙機における湿紙から水分を機械的に搾るプレスパートで、湿紙の運搬及び搾水のために使用される製紙用フェルトは、経糸及び緯糸が互いに織り込まれた基布と、短繊維からなるバット層とをニードリングによって一体化して形成される。製紙用フェルトには、湿紙運搬性、搾水性、紙の表面にマークを付けない表面性（紙面性）、抄紙機に装着されてから好ましい状態になるまでの時間に関する初期馴染み性、防汚性、及び耐久性等が要求される。このような製紙用フェルトに要求される性能は、基布の構造に影響を受ける。
【０００３】
図７は、製紙面側経糸１０１と、走行面側経糸１０２と、製紙面側経糸１０１及び走行面側経糸１０２に織り込まれた１層の緯糸１０３とを有する従来の基布１０４，１０５，１０６を示す。図７（Ａ）は、製紙面側経糸１０１と走行面側経糸１０２との数の比が１：１であり、製紙面側経糸１０１及び走行面側経糸１０２が互いに上下に重なるように配置された経２重組織の基布１０４を示す。経２重組織の基布１０４は、目詰まり汚れ等の問題は発生し難いが、厚さが厚くフェルト密度が上がり難いため初期馴染みが悪く、また、製紙面側経糸１０１と緯糸１０３との交絡によって生じるナックル部で厚みが増すため緯ナックルマークが紙に付き表面性が悪くなる傾向がある。図７（Ｂ）は、製紙面側経糸１０１と走行面側経糸１０２との数の比が１：１であり、製紙面側経糸１０１及び走行面側経糸１０２が互いに上下に重ならないように配置された経１．５重組織の基布１０５を示す（例えば、特許文献１参照）。経１．５重組織の基布１０５は、厚さが薄くフェルト密度が上がり易いため初期馴染みは良いが、通気度が低くフェルト密度が上がり易いため目詰まり汚れ等の問題が発生し易く、斜め方向に固いため走行中にフクレやシワが発生し易い傾向がある。また、単位長さ当たりの経糸本数をあまり増やせないため、強度が低くなる傾向がある。図７（Ｃ）は、製紙面側経糸１０１が走行面側経糸１０２よりも細く、製紙面側経糸１０１と走行面側経糸１０２との数の比が２：１である経２重（上下２：１）組織の基布１０６を示す（例えば、特許文献２参照）。製紙面側経糸１０１が細いためナックル部が小さくなって表面性が良く、通気度が高いため目詰まり汚れ等の問題は発生し難いが、走行面側経糸１０２の浮き糸状態が長いためバットのしまりが悪くなり、初期馴染みが悪く、脱毛や毛羽立ちが発生し易く、製紙用フェルトの使用中に製紙面側経糸１０１が抜け易いという傾向がある。また、製紙面側経糸１０１の本数が多いため生産コストが高くなる傾向がある。
【先行技術文献】
【特許文献】
【０００４】
【特許文献１】特開２０１３−２３４３９２号公報
【特許文献２】特開２００９−１５５７４７号公報
【発明の概要】
【発明が解決しようとする課題】
【０００５】
図８は、参考例であって、１層の経糸１０７と、経糸１０７に織り込まれた１層の緯糸１０３とを有する１重組織の基布１０８を示す。１重組織の基布１０８は、厚さが薄いため搾水性や初期馴染み性が良いが、耐久性に劣る傾向がある。図８に示す１重組織の基布１０８では、８本の経糸１０７と８本の緯糸１０３とによって完全組織が構成され、各々の経糸１０７は、５本の連続する緯糸１０３の製紙面側を通った後３本の連続する緯糸１０３の走行面側を通ることを繰り返しており、任意の経糸１０７は、隣接する他の経糸１０７に対して３本の緯糸１０３の分だけずれた位置で緯糸１０３に織り込まれている。このような基布１０８では、図８に二点鎖線で示すように、経糸１０７と緯糸１０３との織り込みによって生じる凹凸が斜め方向に揃うため、紙に斜めのマークが出て表面性が悪くなるだけでなく、基布１０８自体が斜めに変形し易く、製紙用フェルトを抄紙機に取り付けた時の走行が安定しなくなる。ここで、湿紙を運搬する製紙用フェルトは、上下で対になった２つのロールに挟まれるため、基布における製紙面側の凹凸だけでなく、走行面側の凹凸によっても紙にマークが付き易い。
【０００６】
本発明は、搾水性、防汚性及び表面性に優れた製紙用フェルト基布を提供することを目的とする。本発明の少なくともいくつかの実施形態では、さらに、走行安定性に優れた製紙用フェルト基布を提供することを目的とする。
【課題を解決するための手段】
【０００７】
本発明の少なくともいくつかの実施形態は、製紙用フェルト基布（２，１２，２２，３２，４２）であって、互いに織り込まれた経糸（４，３４，４４）、と緯糸（５，３５，４５）とを有し、前記経糸は、（ａ＋２）本の連続する前記緯糸の製紙面側を通り、続いてａ本の連続する前記緯糸の走行面側を通ることを繰り返すように前記緯糸に織り込まれる（ａ＋２）／ａ組織であり、ａは２以上の整数であり、互いに左右に隣接する２本の前記経糸の少なくとも一部によって構成された第１ペア（６，３６，４６）は、該２本の前記経糸の一方のみが（ａ−１）本の連続する前記緯糸の製紙面側を通り、続いて該２本の前記経糸の双方が互いに共通の連続する３本の前記緯糸の製紙面側を通り、続いて該２本の前記経糸の他方のみが（ａ−１）本の連続する前記緯糸の製紙面側を通り、続いて該２本の前記経糸の双方が互いに共通する１本の前記緯糸の走行面側を通ることを繰り返すように、前記緯糸に織り込まれ、前記第１ペアとは異なる組み合わせの互いに左右に隣接する２本の前記経糸の少なくとも一部によって構成された第２ペア（７，３７，４７）は、該２本の前記経糸の一方のみがａ本の連続する前記緯糸の走行面側を通り、続いて該２本の前記経糸の双方が互いに共通する１本の前記緯糸の製紙面側を通り、続いて該２本の前記経糸の他方のみがａ本の連続する前記緯糸の走行面側を通り、続いて該２本の前記経糸の双方が互いに共通する１本の前記緯糸の製紙面側を通ることを繰り返すように、前記緯糸に織り込まれたことを特徴とする。全ての前記経糸が前記第１ペアを構成するとともに５０％以上の前記経糸が前記第２ペアを構成し、又は、５０％以上の前記経糸が前記第１ペアを構成するとともに全ての前記経糸が前記第２ペアを構成することが好ましい。
【０００８】
この構成によれば、走行面側では第２ペアが擬似的なａ／１組織の走行面側経糸を形成し、製紙面側では第１ペアが擬似的な（２ａ＋１）／１組織の製紙面側経糸を形成し、製紙面側の第１ペアが長い浮き糸状態となるため、表面性が向上する。製紙面側の経糸の密度が高く、走行面側の経糸の密度が低いため、搾水性が良く、目詰まり汚れが生じ難い。個々の経糸の浮き糸状態は、比較的短いため、バットの絡みが向上する。
【０００９】
本発明の少なくともいくつかの実施形態に係る基布は、上記構成の何れかにおいて、前記第１ペアの半数において、該第１ペアにおける右方の前記経糸は、左方の前記経糸に対して、経方向の一方に向かって（ａ−１）本の前記緯糸の分だけずれており、前記第１ペアの残りの半数において、該第１ペアにおける右方の前記経糸は、左方の前記経糸に対して、経方向の他方に向かって（ａ−１）本の前記緯糸の分だけずれていることを特徴とする。ここで、左右方向は、緯糸の延在方向である。
【００１０】
この構成によれば、第１ペアにおいて、その半数は、残りの半数に対して、２本の経糸が互いにずれる経方向の向きが逆になっているため、経糸と緯糸との互いの織り込みによって生じる凹凸が斜め方向に揃う長さが短くなり、紙に斜めのマークが付き難くなって表面性が向上するとともに、基布自体が斜めに変形し難くなって走行安定性が向上する。
【００１１】
本発明の少なくともいくつかの実施形態に係る基布は、上記構成において、前記経糸は、５／３組織、４／２組織、又は６／４組織であることを特徴とする。
【００１２】
この構成によれば、個々の経糸の浮き糸状態が比較的小さいため、バットの絡みが良好になる。
【発明の効果】
【００１３】
本発明によれば、搾水性、防汚性、表面性及び走行安定性に優れた製紙用フェルト基布を提供できる。
【図面の簡単な説明】
【００１４】
【図１】第１実施形態に係る製紙用フェルト基布の組織図
【図２】第１実施形態に係る製紙用フェルトの断面図
【図３】第１実施形態の第１変形例に係る製紙用フェルト基布の組織図
【図４】第１実施形態の第２変形例に係る製紙用フェルト基布の組織図
【図５】第２実施形態に係る製紙用フェルト基布の組織図
【図６】第３実施形態に係る製紙用フェルト基布の組織図
【図７】従来技術に係る製紙用フェルト基布の断面図
【図８】参考例に係る製紙用フェルト基布の組織図
【発明を実施するための形態】
【００１５】
以下、図面を参照して本発明の実施形態について説明する。なお、図１、図３〜図６及び図８に示す組織図は、製紙面側を示すＡ図を平面図とすると、走行面側を示すＢ図は、底面図を左右反転させたものに相当する。
【００１６】
図１及び図２は、第１実施形態に係る製紙用フェルト１における製紙用フェルト基布（以下、単に「基布」と記す）２を示す。製紙用フェルト１は、基布２と、短繊維からなるバット層３とをニードリングによって一体化して形成される。製紙用フェルト１は丈方向（機械方向、経方向）に無端状とされて抄紙機に取り付けられ、外側が湿紙を載置する製紙面側となり、内側が走行面側となる。
【００１７】
基布２は、互いに織り込まれた、丈方向に延在する１層の経糸４と、幅方向（機械交差方向、緯方向、左右方向）に延在する１層の緯糸５とを有する。基布２の完全組織は、１６本の経糸４と８本の緯糸５によって構成され、各々の経糸４は、５本の連続する緯糸５の製紙面側を通り、続いて３本の連続する緯糸５の走行面側を通ることを繰り返すように緯糸５に織り込まれる５／３組織である。
【００１８】
Ｎｏ．１'、Ｎｏ．５'、Ｎｏ．８'及びＮｏ．１２'の経糸４が互いに共通の緯糸５に織り込まれている（緯糸Ｎｏ．８〜４の製紙面側を通り、緯糸Ｎｏ．５〜７の走行面側を通る）。これらの経糸４に対して２本の緯糸５の分だけ図１の下方にずれた位置に、Ｎｏ．２'、Ｎｏ．７'、Ｎｏ．１０'及びＮｏ．１５'の経糸４が互いに共通の緯糸５に織り込まれている（緯糸Ｎｏ．２〜６の製紙面側を通り、緯糸Ｎｏ．７〜１の走行面側を通る）。これらの経糸４に対して２本の緯糸５の分だけ図１の下方にずれた位置に、Ｎｏ．４'、Ｎｏ．９'、Ｎｏ．１３'及びＮｏ．１６'の経糸４が互いに共通の緯糸５に織り込まれている（緯糸Ｎｏ．４〜８の製紙面側を通り、緯糸Ｎｏ．１〜３の走行面側を通る）。これらの経糸４に対して２本の緯糸５の分だけ図１の下方にずれた位置に、Ｎｏ．３'、Ｎｏ．６'、Ｎｏ．１１'及びＮｏ．１４'の経糸４が互いに共通の緯糸５に織り込まれている（緯糸Ｎｏ．６〜２の製紙面側を通り、緯糸Ｎｏ．３〜５の走行面側を通る）。このように織り込むことによって、製紙面側及び走行面側において以下のような特徴が生じる。
【００１９】
製紙面側に着目すると、Ｎｏ．（２ｎ−１）'及びＮｏ．（２ｎ）'の経糸４が、第１ペア６を構成している（ｎは１〜８の整数である）。Ｎｏ．１'及び２'の経糸４を例に、第１ペア６について説明する（以下、「Ｎｏ．（２ｎ−１）'及びＮｏ．（２ｎ）'の経糸４の第１ペア６」を「第１ペア（（２ｎ−１）'，（２ｎ）'）」と記す）。Ｎｏ．１'の経糸４は、Ｎｏ．８〜Ｎｏ．４の５本の連続する緯糸５の製紙面側を通り、Ｎｏ．５〜７の３本の連続する緯糸５の走行面側を通っている。Ｎｏ．２'の経糸４は、Ｎｏ．２〜Ｎｏ．６の５本の連続する緯糸５の製紙面側を通り、Ｎｏ．７〜１の３本の連続する緯糸５の走行面側を通っている。Ｎｏ．８〜Ｎｏ．６の連続する７本の緯糸５の製紙面側には、Ｎｏ．１'及びＮｏ．２'の双方又は一方が存在し、Ｎｏ．７の緯糸５の走行面側には、Ｎｏ．１'及びＮｏ．２'の双方が存在する。このように第１ペア６における互いに隣接する経糸４の少なくとも一方が製紙面側に存在するとき、第１ペア６は製紙面側に存在するとみなすと、第１ペア６は、擬似的な７／１組織の製紙面側経糸となる。
【００２０】
第１ペア（１１'，１２'）、（１３'，１４'）、（１５'，１６'）及び（１'，２'）は、それぞれの第１ペア６において、偶数番号の経糸４が奇数番号の経糸４よりも２本の緯糸５の分だけ図１の下方にずれた位置に織り込まれている。第１ペア（１３'，１４'）、（１５'，１６'）、（１'，２'）及び（１１'，１２'）は、それぞれ、第１ペア（１１'，１２'）、（１３'，１４'）、（１５'，１６'）及び（１'，２'）に対して、２本の緯糸５の分だけ図１の上方にずれた位置に織り込まれている。
【００２１】
第１ペア（３'，４'）、（５'，６'）、（７'，８'）及び（９'，１０'）は、それぞれの第１ペア６において、奇数番号の経糸４が偶数番号の経糸４よりも２本の緯糸５の分だけ図１の下方にずれた位置に織り込まれている。第１ペア（５'，６'）、（７'，８'）及び（９'，１０'）、（３'，４'）は、それぞれ、第１ペア（３'，４'）、（５'，６'）、（７'，８'）及び（９'，１０'）に対して、２本の緯糸５の分だけ図１の下方にずれた位置に織り込まれている。第１ペア（３'，４'）、（５'，６'）、（７'，８'）及び（９'，１０'）は、それぞれ、第１ペア（１３'，１４'）、（１１'，１２'）、（１'，２'）及び（１５'，１６'）に対して、左右対称形をなす（緯糸５の延在方向を左右方向とする）。なお、第１ペア６を構成する２本の互いに隣り合う経糸４において、右方の経糸４が左方の経糸４よりも図中の下方にずれた位置に織り込まれているものと、その逆のものとは、上述のような４つずつ交互に配置したものに限定されず、例えば、１つずつ又は２つずつ交互に配置しても良い。
【００２２】
一方、走行面側に着目すると、Ｎｏ．（２ｎ）'及びＮｏ．（２ｎ＋１）'の経糸４が、第２ペア７を構成している（ｎは１〜８の整数であり、（２ｎ＋１）が１７の時は１とみなす）。Ｎｏ．２'及び３'の経糸４を例に、第２ペア７について説明する。Ｎｏ．２'の経糸４は、Ｎｏ．２〜Ｎｏ．６の５本の連続する緯糸５の製紙面側を通り、Ｎｏ．７〜１の３本の連続する緯糸５の走行面側を通っている。Ｎｏ．３'の経糸４は、Ｎｏ．６〜Ｎｏ．２の５本の連続する緯糸５の製紙面側を通り、Ｎｏ．３〜５の３本の連続する緯糸５の走行面側を通っている。Ｎｏ．３〜５及び７〜１の連続する３本の緯糸５の走行面側には、Ｎｏ．２'及びＮｏ．３'の一方が存在し、Ｎｏ．２及び６の緯糸５の製紙面側には、Ｎｏ．２'及びＮｏ．３'の双方が存在する。このように第２ペア７における互いに隣接する経糸４の双方が製紙面側に存在するときに第２ペア７は製紙面側に存在するとみなし、一方が走行面側に存在するときに第２ペア７は走行面側に存在するとみなすと、第２ペア７は、擬似的な３／１組織の走行面側経糸（製紙面側から見ると１／３組織）となる。このため、筋曲がりが抑制され、表面性も向上する。
【００２３】
経糸４は、２又は３本のモノフィラメントの片撚り糸、又はマルチフィラメントの撚り糸が好適である。片撚り糸は、各々のモノフィラメントに撚りを掛けたものを複数本反対方向に撚ったものでも良い。緯糸５は、３本のモノフィラメントの片撚り糸、又は２本のモノフィラメントの片撚り糸を２本撚った撚り糸が好適である。経糸４及び緯糸５として撚り糸を用いることにより、基布２とバットとの絡みが向上する。経糸４及び緯糸５に使用されるモノフィラメントの各々の直径は０．１８ｍｍ〜０．２５ｍｍであることが好ましく、その素材として、ナイロン、ポリアミド、ポリエステル、ポリエチレン、ポリプロピレン、ポリ塩化ビニル等の合成樹脂を使用できる。経糸４は、２．５４ｃｍ（１インチ）当たり５５〜８５本であり、緯糸５は、２．５４ｃｍ（１インチ）当たり１８〜３５本であることが好ましい。
【００２４】
走行面側では第２ペア７を構成する互いに隣り合う２本の経糸４が互いに補完しながらあたかも１本の３／１組織の走行面側経糸を形成し、製紙面側では第１ペア６を構成する互いに隣り合う２本の経糸４が互いに補完しながらあたかも７／１組織の製紙面側経糸を形成している。図１を見ると、Ｎｏ．１，３，５，７の緯糸５に対しては、完全組織において８本の経糸４が製紙面側に位置し、８本の経糸４が走行面側に位置する。また、Ｎｏ．２，４，６，８の緯糸５に対しては、完全組織において１２本の経糸４が製紙面側に位置し、４本の経糸４が走行面側に位置する。Ｎｏ．２，４，６，８の緯糸５に着目すると、図２の緯断面（経糸４に直交する断面）の図に示すように、緯糸５に対して、製紙面側に位置する経糸４と走行面側に位置する経糸４の数の比が１２：４となっている。ここで、製紙面側を通る１２本の経糸４の内、４組８本の経糸４が第１ペア６を構成している。例えば、Ｎｏ．２の緯糸５に対しては、第１ペア（１'，２'）、（５'，６'）、（７'，８'）及び（１１'，１２'）の経糸４が両方とも製紙面側を通るとともに、他の第１ペア６を構成する２本の経糸４の内の一方（Ｎｏ．３'，１０'，１４'及び１５'）の経糸４が製紙面側を通っている。第１ペア６を構成する２本の経糸４は互いに補完し合って１本の経糸４のように機能するため、第１ペア６を構成する２本の経糸４を１本の経糸４とみなすと、Ｎｏ．２，４，６，８の緯糸５に対して、製紙面側を通る経糸４の数が８本（双方の経糸４が製紙面側に位置する第１ペア６が４組、一方の経糸のみが走行面側位置する第１ペア６が４組）、走行面側に位置する経糸４の数が４本となり、その比が２：１のようになる。このため、緯糸５に対する経糸４の配置が、図７（Ｃ）に示す経２重（上下２：１）組織の製紙面側経糸１０１及び走行面側経糸１０２に類似のものとなり、表面性が向上する。一方、経糸４の単位長さ当たりの本数は、経２重（上下２：１）組織の製紙面側経糸１０１及び走行面側経糸１０２の合計本数よりも少ないため、生産性が向上する。製紙面側の経糸４の密度が高く、走行面側の経糸４の密度が低いため、搾水性が良く、目詰まり汚れが生じ難い。
【００２５】
また、製紙面側で擬似的な７／１組織を形成する第１ペア６は、製紙面側で連続する７本の緯糸５という比較的長い浮き糸状態となるため表面性が向上する。各々の経糸４が長い浮き糸状態となるとバットの絡みが悪くなるが、本実施形態の基布２では、個々の経糸４の浮き糸状態は、製紙面側で５本の緯糸５、走行面側で３本の緯糸５という比較的短いものであるため、バットの絡みが向上する。
【００２６】
また、第１ペア６の半数において、該第１ペア６における右方の経糸４は、左方の経糸４に対して、経方向の一方に向かって２本の緯糸５の分だけずれており、第１ペア６の残りの半数において、該第１ペア６における右方の経糸４は、左方の経糸４に対して、経方向の他方に向かって２本の緯糸５の分だけずれている。すなわち、第１ペア６において半数は、残りの半数に対して、２本の経糸４の互いにずれる経方向の向きが逆になっている。このため、経糸４と緯糸５との互いの織り込みによって生じる凹凸が斜め方向に揃う長さが短くなるため、紙に斜めのマークが付き難くなり表面性が向上するとともに、基布２自体が斜めに変形し難くなって走行が安定する。
【００２７】
次に、図３を参照して第１実施形態の第１変形例を説明する。説明に当たって、第１実施形態の上記の主例と共通する構成については同一の符号を付しその説明を省略する。上記の主例では、全ての経糸４が第１ペア６を構成し、全ての経糸４が第１ペア６とは異なる組み合わせで第２ペア７を構成しているが、第１変形例では、５０％の経糸４のみが第１ペア６を構成している点で上記の主例と相違する。
【００２８】
第１変形例の基布１２の完全組織は、８本の経糸４と８本の緯糸５によって構成され、各々の経糸４は、上記の主例と同様に５本の連続する緯糸５の製紙面側を通り、続いて３本の連続する緯糸５の走行面側を通ることを繰り返すように緯糸５に織り込まれる５／３組織である。
【００２９】
Ｎｏ．２'〜８'及び１'の経糸４は、それぞれ、Ｎｏ．１'〜８'の経糸４に対して、６本、４本、５本、４本、２本、４本、３本及び４本の緯糸５の分だけ図３の下方にずれた位置に織り込まれている。このように織り込むことによって、製紙面側及び走行面側において以下のような特徴が生じる。
【００３０】
製紙面側に着目すると、Ｎｏ．１'及びＮｏ．２'の経糸４と、Ｎｏ．５'及びＮｏ．６'の経糸４とが、それぞれ、擬似的な７／１組織の製紙面側経糸となる第１ペア６を構成し、Ｎｏ．３'及びＮｏ．４'の経糸４と、Ｎｏ．７'及びＮｏ．８'の経糸４とは、それぞれ、第１ペア６を構成していない。第１ペア（１'，２'）においては、Ｎｏ．１'の経糸４が、Ｎｏ．２'の経糸４よりも２本の緯糸５の分だけ図３の下方にずれた位置に織り込まれ、第１ペア（５'，６'）においては、Ｎｏ．６'の経糸４がＮｏ．５'の経糸４よりも２本の緯糸５の分だけ図３の下方にずれた位置に織り込まれている。擬似的な７／１組織として見た場合、第１ペア（５'，６'）は、第１ペア（１'，２'）に対して５本の緯糸５の分だけ図３の下方に位置する（第１ペア（５'，６'）のＮｏ．５'の経糸４が、第１ペア（１'，２'）のＮｏ．２'の経糸４に対して５本の緯糸５の分だけ図３の下方に位置する）。
【００３１】
一方、走行面側に着目すると、Ｎｏ．（２ｎ）'及びＮｏ．（２ｎ＋１）'の経糸４が、擬似的な３／１組織の走行面側経糸となる第２ペア７を構成している（ｎは１〜４の整数であり、（２ｎ＋１）が９の時は１とみなす）。
【００３２】
このように経糸４の５０％が第１ペア６を構成し、かつ、経糸４の全てが第２ペア７を構成する構成であっても、上記の主例と同様の理由により、搾水性、防汚性、表面性及び走行安定性が良好となる。なお、Ｎｏ．３'及びＮｏ．４'の経糸４と、Ｎｏ．７'及びＮｏ．８'の経糸４との何れか一方に第１ペア６を構成させて、経糸４の７５％が第１ペア６を構成するように変更しても良い。
【００３３】
次に、図４を参照して第１実施形態の第２変形例を説明する。説明に当たって、第１実施形態の主例と共通する構成については同一の符号を付しその説明を省略する。第２変形例では、５０％の経糸４のみが第２ペア７を構成している点で主例と相違する。
【００３４】
第２変形例の基布２２の完全組織は、８本の経糸４と８本の緯糸５によって構成され、各々の経糸４は、上記の主例及び第１変形例と同様に５本の連続する緯糸５の製紙面側を通り、続いて３本の連続する緯糸５の走行面側を通ることを繰り返すように緯糸５に織り込まれる５／３組織である。
【００３５】
Ｎｏ．２'〜８'及び１'の経糸４は、それぞれ、Ｎｏ．１'〜８'の経糸４に対して、６本、４本、２本、３本、６本、４本、２本、及び５本の緯糸５の分だけ図４下方にずれた位置に織り込まれている。このように織り込むことによって、製紙面側及び走行面側において以下のような特徴が生じる。
【００３６】
製紙面側に着目すると、Ｎｏ．（２ｎ−１）'及びＮｏ．（２ｎ）'の経糸４が、擬似的な７／１組織の製紙面側経糸となる第１ペア６を構成している（ｎは１〜４の整数である）。第１ペア（３'，４'）及び（７'，８'）は、それぞれの第１ペア６において、偶数番号の経糸４が奇数番号の経糸４よりも２本の緯糸５の分だけ図４の下方にずれた位置に織り込まれている。第１ペア（７'，８'）は、第１ペア（３'，４'）に対して、１本の緯糸５の分だけ図１の上方にずれた位置に織り込まれている。
【００３７】
第１ペア（１'，２'）及び（５'，６'）は、それぞれの第１ペア６において、奇数番号の経糸４が偶数番号の経糸４よりも２本の緯糸５の分だけ図４の下方にずれた位置に織り込まれている。第１ペア（５'，６'）は、第１ペア（１'，２'）に対して、１本の緯糸５の分だけ図４の上方にずれた位置に織り込まれている。擬似的な７／１組織として見た場合、第１ペア（１'，２'）及び（５'，６'）は、それぞれ、第１ペア（７'，８'）及び（３'，４'）に対して、５本の緯糸５及び３本の緯糸５の分だけ、図４の下方にずれた位置に織り込まれている（第１ペア（１'，２'）のＮｏ．２'の経糸４及び第１ペア（５'，６'）のＮｏ．６'の経糸が、それぞれ第１ペア（７'，８'）のＮｏ．７'の経糸４及び第１ペア（３'，４'）のＮｏ．３'の経糸４に対して、３本の緯糸５の分だけ、図４の下方にずれた位置に織り込まれている）。
【００３８】
一方、走行面側に着目すると、Ｎｏ．２'及びＮｏ．３'の経糸４と、Ｎｏ．６'及びＮｏ．７'の経糸４とが、擬似的な３／１組織の走行面側経糸となる第２ペア７を構成している。
【００３９】
このように経糸４の全てが第１ペア６を構成し、かつ、経糸４の５０％が第２ペア７を構成する構成であっても、上記の主例と同様の理由により、搾水性、防汚性、表面性及び走行安定性が良好となる。なお、Ｎｏ．４'及びＮｏ．５'の経糸４と、Ｎｏ．８'及びＮｏ．１'の経糸４との何れか一方に第２ペア７を構成させて、経糸４の７５％が第２ペア７を構成するように変更しても良い。
【００４０】
次に、図５を参照して、本発明に係る第２実施形態を説明する。第２実施形態に係る基布３２は、互いに織り込まれた１層の経糸３４と１層の緯糸３５とを有する。個々の経糸３４の組織や、第１ペア３６及び第２ペア３７の長さが第１実施形態と相違する。なお、図５においては、便宜上、ペアを組む２つの経糸３４を互いに近接させて図示している。
【００４１】
基布３２の完全組織は、１６本の経糸３４と６本の緯糸３５によって構成され、各々の経糸３４は、４本の連続する緯糸３５の製紙面側を通り、続いて２本の連続する緯糸３５の走行面側を通ることを繰り返すように緯糸３５に織り込まれる４／２組織である。
【００４２】
Ｎｏ．１'、Ｎｏ．７'及びＮｏ．１１'の経糸３４が互いに共通の緯糸３５に織り込まれている。これらの経糸３４に対して１本の緯糸３５の分だけ図５の下方にずれた位置に、Ｎｏ．４'及びＮｏ．１２'の経糸３４が互いに共通の緯糸３５に織り込まれている。これらの経糸３４に対して１本の緯糸３５の分だけ図５の下方にずれた位置に、Ｎｏ．３'、Ｎｏ．９'及びＮｏ．１５'の経糸３４が互いに共通の緯糸３５に織り込まれている。これらの経糸３４に対して１本の緯糸３５の分だけ図５の下方にずれた位置に、Ｎｏ．６'、Ｎｏ．１０'及びＮｏ．１６'の経糸３４が互いに共通の緯糸３５に織り込まれている。これらの経糸３４に対して１本の緯糸３５の分だけ図５の下方にずれた位置に、Ｎｏ．５'及びＮｏ．１３'の経糸３４が互いに共通の緯糸３５に織り込まれている。これらの経糸３４に対して１本の緯糸３５の分だけ図５の下方にずれた位置に、Ｎｏ．２'、Ｎｏ．８'及びＮｏ．１４'の経糸３４が互いに共通の緯糸３５に織り込まれている。このように織り込むことによって、製紙面側及び走行面側において以下のような特徴が生じる。
【００４３】
製紙面側に着目すると、Ｎｏ．（２ｎ−１）'及びＮｏ．（２ｎ）'の経糸３４が、第１ペア３６を構成している（ｎは１〜８の整数である）。第１ペア３６は、一方の経糸３４のみが１本の緯糸３５の製紙面側を通り、続いて双方の経糸３４が３本の連続する緯糸３５の製紙面側を通り、続いて他方の経糸３４のみが１本の緯糸３５の製紙面側を通り、続いて双方の経糸３４が１本の緯糸３５の下を通ることを繰り返すように、緯糸３５に織り込まれる。このように第１ペア３６における互いに隣接する経糸３４の少なくとも一方が製紙面側に存在するとき、第１ペア３６は製紙面側に存在するとみなすと、第１ペア３６は、擬似的な５／１組織の製紙面側経糸となる。
【００４４】
第１ペア（９'，１０'），（１１'，１２'）、（１３'，１４'）及び（１５'，１６'）は、それぞれの第１ペア３６において、偶数番号の経糸３４が奇数番号の経糸３４よりも１本の緯糸３５の分だけ図５の下方にずれた位置に織り込まれている。第１ペア（１１'，１２'）、（１３'，１４'）及び（１５'，１６'）は、それぞれ、第１ペア（９'，１０'）、（１１'，１２'）及び（１３'，１４'）に対して、４本の緯糸３５の分だけ図５の下方に位置する。第１ペア（９'，１０'）と第１ペア（１５'，１６'）とは、互いに共通の緯糸３５に織り込まれている。
【００４５】
第１ペア（１'，２'）、（３'，４'）、（５'，６'）及び（７'，８'）は、それぞれの第１ペア３６において、奇数番号の経糸３４が偶数番号の経糸３４よりも１本の緯糸３５の分だけ図５の下方にずれた位置に織り込まれている。第１ペア（３'，４'）、（５'，６'）及び（７'，８'）は、それぞれ、第１ペア（１'，２'）、（３'，４'）及び（５'，６'）に対して、２本の緯糸３５の分だけ図５の下方にずれた位置に織り込まれている。第１ペア（１'，２'）と第１ペア（７'，８'）とは、互いに共通の緯糸３５に織り込まれている。
【００４６】
一方、走行面側に着目すると、Ｎｏ．（２ｎ）'及びＮｏ．（２ｎ＋１）'の経糸３４が、第２ペア３７を構成している（ｎは１〜８の整数であり、（２ｎ＋１）が１７の時は１とみなす）。第２ペア３７は、一方の経糸３４のみが２本の連続する緯糸３５の走行面側を通り、続いて双方の経糸３４が１本の緯糸３５の製紙面側を通り、続いて他方の経糸３４のみが２本の連続する緯糸３５の走行面側を通り、続いて双方の経糸３４が１本の緯糸３５の製紙面側を通ることを繰り返すように緯糸３５に織り込まれる。このように第２ペア３７における互いに隣接する経糸３４の双方が製紙面側に存在するときに第２ペア３７は製紙面側に存在するとみなし、かつ、一方が走行面側に存在するときに第２ペア３７は走行面側に存在するとみなすと、第２ペア３７は、擬似的な２／１組織の走行面側経糸（製紙面側から見ると１／２組織）となる。
【００４７】
このような構成であっても、第１実施形態と同様の理由により、搾水性、防汚性、表面性及び走行安定性が良好となる。
【００４８】
次に、図６を参照して、本発明に係る第３実施形態を説明する。第３実施形態に係る基布４２は、互いに織り込まれた１層の経糸４４と１層の緯糸４５とを有する。個々の経糸４４の組織や、第１ペア４６及び第２ペア４７の長さが第１実施形態及び第２実施形態と相違する。なお、図６においては、便宜上、ペアを組む２つの経糸４４を互いに近接させて図示している。
【００４９】
基布４２の完全組織は、１６本の経糸４４と１０本の緯糸４５によって構成され、各々の経糸４４は、６本の連続する緯糸４５の製紙面側を通り、続いて４本の連続する緯糸４５の走行面側を通ることを繰り返すように緯糸４５に織り込まれる６／４組織である。
【００５０】
Ｎｏ．１'及びＮｏ．５'の経糸４４が互いに共通の緯糸４５に織り込まれている。これらの経糸４４に対して１本の緯糸４５の分だけ図６の下方にずれた位置に、Ｎｏ．１０'の経糸４４が緯糸４５に織り込まれている。この経糸４４に対して１本の緯糸４５の分だけ図６の下方にずれた位置に、Ｎｏ．７'及びＮｏ．１５'の経糸４４が互いに共通の緯糸４５に織り込まれている。これらの経糸４４に対して１本の緯糸４５の分だけ図６の下方にずれた位置に、Ｎｏ．２'の経糸４４が緯糸４５に織り込まれている。この経糸４４に対して１本の緯糸４５の分だけ図６の下方にずれた位置に、Ｎｏ．９'及びＮｏ．１３'の経糸４４が互いに共通の緯糸４５に織り込まれている。これらの経糸４４に対して１本の緯糸４５の分だけ図６の下方にずれた位置に、Ｎｏ．４'及びＮｏ．１６'の経糸４４が互いに共通の緯糸４５に織り込まれている。これらの経糸４４に対して１本の緯糸４５の分だけ図６の下方にずれた位置に、Ｎｏ．１１'の経糸４４が緯糸４５に織り込まれている。この経糸４４に対して１本の緯糸４５の分だけ図６の下方にずれた位置に、Ｎｏ．６'及びＮｏ．１４'の経糸４４が互いに共通の緯糸４５に織り込まれている。これらの経糸４４に対して１本の緯糸４５の分だけ図６の下方にずれた位置に、Ｎｏ．３'の経糸４４が緯糸４５に織り込まれている。この経糸４４に対して１本の緯糸４５の分だけ図６の下方にずれた位置に、Ｎｏ．８'及びＮｏ．１２'の経糸４４が互いに共通の緯糸４５に織り込まれている。このように織り込むことによって、製紙面側及び走行面側において以下のような特徴が生じる。
【００５１】
製紙面側に着目すると、Ｎｏ．（２ｎ−１）'及びＮｏ．（２ｎ）'の経糸４４が、第１ペア４６を構成している（ｎは１〜８の整数である）。第１ペア４６は、一方の経糸４４のみが３本の連続する緯糸４５の製紙側を通り、続いて双方の経糸４４が３本の連続する緯糸４５の製紙面側を通り、続いて他方の経糸４４のみが３本の連続する緯糸４５の製紙面側を通り、続いて双方の経糸４４が１本の緯糸４５の下を通ることを繰り返すように、緯糸４５に織り込まれる。このように第１ペア４６における互いに隣接する経糸４４の少なくとも一方が製紙面側に存在するとき、第１ペア４６は製紙面側に存在するとみなすと、第１ペア４６は、擬似的な９／１組織の製紙面側経糸となる。
【００５２】
第１ペア（１１'，１２'）、（１３'，１４'）、（１５'，１６'）及び（１'，２'）は、それぞれの第１ペア４６において、偶数番号の経糸４４が奇数番号の経糸４４よりも３本の緯糸４５の分だけ図６の下方にずれた位置に織り込まれる。第１ペア（１３'，１４'）、（１５'，１６'）、（１'，２'）及び（１１'，１２'）は、それぞれ、第１ペア（１１'，１２'）、（１３'，１４'）、（１５'，１６'）及び（１'，２'）に対して、８本、８本、８本及び６本の緯糸４５の分だけ図６の下方にずれた位置に織り込まれる。
【００５３】
第１ペア（３'，４'）、（５'，６'）、（７'，８'）及び（９'，１０'）は、それぞれの第１ペア４６において、奇数番号の経糸４４が偶数番号の経糸４４よりも３本の緯糸４５の分だけ図６の下方にずれた位置に織り込まれる。第１ペア（５'，６'）、（７'，８'）及び（９'，１０'）、（３'，４'）は、それぞれ、第１ペア（３'，４'）、（５'，６'）、（７'，８'）及び（９'，１０'）に対して、２本、２本、２本及び４本の緯糸４５の分だけ図６の下方に位置する。
【００５４】
一方、走行面側に着目すると、Ｎｏ．（２ｎ）'及びＮｏ．（２ｎ＋１）'の経糸４４が、第２ペア４７を構成している（ｎは１〜８の整数であり、（２ｎ＋１）が１７の時は１とみなす）。第２ペア４７は、一方の経糸４４のみが４本の連続する緯糸４５の走行面側を通り、続いて双方の経糸４４が１本の緯糸４５の製紙面側を通り、続いて他方の経糸４４のみが４本の連続する緯糸４５の走行面側を通り、続いて双方の経糸４４が１本の緯糸４５の製紙面側を通ることを繰り返すように緯糸４５に織り込まれる。このように第２ペア４７における互いに隣接する経糸４４の双方が製紙面側に存在するときに第２ペア４７は製紙面側に存在するとみなし、かつ、一方が走行面側に存在するときに第２ペア４７は走行面側に存在するとみなすと、第２ペア４７は、擬似的な４／１組織の走行面側経糸（製紙面側から見ると１／４組織）となる。
【００５５】
このような構成であっても、第１実施形態と同様の理由により、搾水性、防汚性、表面性及び走行安定性が良好となる。
【００５６】
以上で具体的実施形態の説明を終えるが、本発明は上記実施形態に限定されることなく幅広く変形実施することができる。第２実施形態又は第３実施形態を、第１実施形態の第１変形例又は第２変形例のように、全ての経糸が第１ペア及び第２ペアの一方を構成し、５０％以上の経糸が第１ペア及び第２ペアの他方を構成するように変形してもよい。経糸は、５／３組織、４／２組織及び６／４組織以外の組織としても良い。この場合、経糸は（ａ＋２）／ａ組織（ａは２以上の整数）であり、第１ペアは、２本の経糸の一方のみが（ａ−１）本の連続する緯糸の製紙面側を通り、続いて該２本の経糸の双方が互いに共通の３本の連続する緯糸の製紙面側を通り、続いて該２本の経糸の他方のみが（ａ−１）本の連続する緯糸の製紙面側を通り、続いて該２本の経糸の双方が互いに共通する１本の緯糸の製紙面側を通ることを繰り返すように、緯糸に織り込まれ、擬似的な（２ａ＋１）／１組織の製紙面側経糸となる。第２ペアは、擬似的なａ／１組織の走行面側経糸となる。製紙面側で形成される組織の綾数（（２ａ＋１）／１組織で（２ａ＋２）枚綾）は、走行面側で形成される組織の綾数（ａ／１組織で（ａ＋１）枚綾）の２倍となる。
【符号の説明】
【００５７】
１：製紙用フェルト
２，１２，２２，３２，４２：基布
３：バット層
４，３４，４４：経糸
５，３５，４５：緯糸
６，３６，４６：第１ペア
７，３７，４７：第２ペア
【図１】
2020090757.tif 000003
【図２】
2020090757.tif 000004
【図３】
2020090757.tif 000005
【図４】
2020090757.tif 000006
【図５】
2020090757.tif 000007
【図６】
2020090757.tif 000008
【図７】
2020090757.tif 000009
【図８】
2020090757.tif 000010